(57)【要約】【課題】各種の電線をコンパクトかつ適正に収容することができる電線ストック台を提供する。【解決手段】電線を引出可能に収容する樋状体からなる第１〜第３電線受け部１〜３と、この電線受け部１〜３の後部上方に配設された第１〜第６電線保持筒４〜９と、この電線保持筒４〜９を支持フレーム１２に支持させる支持機構１０とを備え、この支持機構１０により支持された各電線保持筒４〜９の水平面に対する設置角度を変更可能に構成した。【選択図】　図１
2004083166.tif 000002
【特許請求の範囲】
【請求項１】
電線を引出可能に収容する電線受け部と、この電線受け部の上方に配設された電線保持筒と、この電線保持筒を支持する支持機構とを備え、この支持機構により支持された電線保持筒の水平面に対する設置角度を変更可能に構成したことを特徴とする電線ストック台。
【請求項２】
上下方向に複数段の電線受け部を配列するとともに、上段側に位置する電線受け部の後端を、その下段側に位置する電線受け部の後端よりも前方側に配設し、かつ上記各電線受け部の後部上方に電線保持筒を配設したことを特徴とする請求項１記載の電線ストック台。
【請求項３】
複数個の電線保持筒を上下方向に配列したことを特徴とする請求項１または２記載の電線ストック台。
【請求項４】
電線保持筒の後方に、この電線保持筒から導出された電線の後部を係止するハンガー部材を設けたことを特徴とする請求項１〜３の何れかに記載の電線ストック台。
【発明の詳細な説明】
【０００１】
【発明の属する技術分野】
本発明は、ワイヤーハーネスを製造する際に、その構成要素となる電線を収容しておくための電線ストック台の改良に関するものである。
【０００２】
【従来の技術】
従来、例えば特開平９−１９８９３９号公報に示されるように、ワイヤーハーネスやワイヤーハーネスを構成するサブアッセンブリを製造する際に、調尺寸法の異なる多数種の電線をストックする電線ストック台として、調尺切断された電線を延ばした状態で載置する電線受け部を、上下方向に沿って多数段に配設するとともに、各電線受け部の長さを上段側ほど長く設定したものが知られている。そして、上段側の電線受け部ほど、その後端を奥側に突出させることにより、寸法の長い電線を収容する際に、その後端側を各電線受け部から垂下させた場合に、上段の電線受け部に収容された電線と、下段の電線受け部に収容された電線とが絡まり合うのを防止し、これによって電線をコンパクトに効率よくストックすることが行われている。
【０００３】
【発明が解決しようとする課題】
上記のように上下複数段の電線受け部を配設するとともに、各電線受け部の長さを上段側ほど長く設定した場合には、一平面上に多数の電線受け部を配列した場合に比べ、コンパクトな構成で多数種の電線を効率よくストックすることができるという利点がある。しかし、下段側に位置する電線受け部の上面が上段側の電線受け部により覆われているため、下段側の電線受け部内に電線を収容する際に、その一端部側から電線を押し込むようにしなければならず、この電線の収容作業が繁雑であり、かつ電線が折れ曲がった状態で収容され易いとともに、電線同士が絡まり合った状態となり易い等の問題があった。
【０００４】
本発明は、上記の点に鑑みてなされたものであり、各種の電線をコンパクトかつ適正に収容することができる電線ストック台を提供するものである。
【０００５】
【課題を解決するための手段】
請求項１に係る発明は、電線を引出可能に収容する電線受け部と、この電線受け部の上方に配設された電線保持筒と、この電線保持筒を支持する支持機構とを備え、この支持機構により支持された電線保持筒の水平面に対する設置角度を変更可能に構成したものである。
【０００６】
上記構成によれば、電線の前部が電線受け部に収容されるとともに、電線の後部が電線保持筒に保持されることにより、コンパクトに構成された電線ストック台に、長尺の電線が立体化された状態でストックされることになる。
【０００７】
請求項２に係る発明は、請求項１記載の電線ストック台において、上下方向に複数段の電線受け部を配列するとともに、上段側に位置する電線受け部の後端を、その下段側に位置する電線受け部の後端よりも前方側に配設し、かつ上記各電線受け部の後部上方に電線保持筒を配設したものである。
【０００８】
上記構成によれば、上下複数段の電線受け部に電線の前部がそれぞれ収容されるとともに、各電線の後部が各電線保持筒にそれぞれ保持されることにより、各電線が立体的に保持されることになる。
【０００９】
請求項３に係る発明は、上記請求項１または２記載の電線ストック台において、複数個の電線保持筒を上下方向に配列したものである。
【００１０】
上記構成によれば、電線の長さ等に応じて電線が挿通される電線保持筒の個数を適宜に変更することが可能となり、各電線のストック状態が多様化されることになる。
【００１１】
請求項４に係る発明は、上記請求項１〜３の何れかに記載の電線ストック台において、電線保持筒の後方に、この電線保持筒から導出された電線の後部を係止するハンガー部材を設けたものである。
【００１２】
上記構成によれば、電線ストック台に長尺の電線をストックする際に、この電線の後部が上記ハンガー部材により安定して支持されることになる。
【００１３】
【発明の実施の形態】
図１および図２は、本発明に係る電線ストック台の実施形態を示している。この電線ストック台は、電線を引出可能に収容する上下３段の電線受け部１〜３と、この電線受け部１〜３の後部上方において上下２段に配列されるとともに、前後３列に配列された電線保持筒４〜９と、この電線保持筒４〜９をそれぞれ個別に支持する支持機構１０と、上記電線保持筒４〜９の後方にそれぞれ配設された電線のハンガー部材１１ａ〜１１ｃとを備えている。上記各電線受け部１〜３、電線保持筒４〜９および支持機構１０が支持フレーム１２に取り付けられることによりストック台ユニットＵが形成され、複数のストック台ユニットＵがその幅方向に連結されるように構成されている。
【００１４】
上記各電線受け部１〜３は、それぞれ上面が開口した断面コ字状の樋状体からなり、電線の引出側部となる前端部が下方に位置するとともに、後端部が上方に位置するように傾斜した状態で、支持フレーム１２に固定されている。また、上記各電線受け部１〜３の前端部（電線の引出側端部）には、堰部材となる端板１３が設けられるとともに、この端板１３の上端部には、電線の種類を表示する型番シール等が貼着される上面板１４が設けられている。
【００１５】
そして、上記各電線受け部１〜３は、最上方に位置する第１電線受け部１の全長が最も短く、その下段側に位置する第２，第３電線受け部２，３の全長が、その上段側に位置する第１，第２電線受け部１，２よりも長く形成されている。これによって第１電線受け部１の後端が、下方の第２電線受け部２の後端よりも所定距離だけ前方側に位置するとともに、第２電線受け部２の後端が、下方の第３電線受け部３の後端よりも所定距離だけ前方側に位置した状態で支持フレーム１２に取り付けられるようになっている。また、上記各電線受け部１〜３の前端は、内部に収容された電線の引出作業を容易に行い得るように、最上方に位置する第１電線受け部１が、その下方に位置する第２電線受け部２よりもやや後方側に位置し、かつこの第２電線受け部２が、その下方に位置する第３電線受け部３よりもやや後方側に位置するように、それぞれ前後方向にオフセットした状態で配設されている。
【００１６】
上記各電線保持筒４〜９は、断面略正方形の角パイプ材からなり、上記第１〜第３電線受け部１〜３の後部から上方に導出された電線を保持し得る位置に配設されている。具体的には、上記第１電線受け部１の後部上方に、上下一対の第１，第２電線保持筒４，５が所定間隔を置いて配設され、上記第１電線受け部１の後部から上方に導出された電線が、上記第１，第２電線保持筒４，５の少なくとも一方を挿通して、その上端部から後方側に導出されることにより、電線の後部が第１，第２電線保持筒４，５に保持されるように構成されている。
【００１７】
また、上記第１，第２電線保持筒４，５の後方側で、第２電線受け部２の後部上方には、上下一対の第３，第４電線保持筒６，７が所定間隔を置いて配設されている。上記第２電線受け部２の後部から上方に導出された電線が、上記第３，第４電線保持筒６，７の少なくとも一方を挿通して、その上端部から後方側に導出されることにより、上記電線の後部が第３，第４電線保持筒６，７に保持されるようになっている。
【００１８】
さらに、上記第３，第４電線保持筒６，７の後方で、第３電線受け部３の後部上方には、上下一対の第５，第６電線保持筒８，９が所定間隔を置いて配設されている。上記第３電線受け部３の後部から上方に導出された電線が、上記第５，第６電線保持筒８，９の少なくとも一方を挿通して、その上端部から後方側に導出されることにより、上記電線の後部が第５，第６電線保持筒８，９に保持されるように構成されている。
【００１９】
上記支持機構１０は、図３および図４に示すように、各電線保持筒４〜９の左右両右側壁部に固着された一対の取付ブラケット１４と、この取付ブラケット１４を支持フレーム１２に固定するための固定ボルト１５およびナット１６とを有している。そして、上記固定ボルト１５の先端部に螺着されたナット１６を緩めた状態で、各電線保持筒４〜９を揺動変位させることにより、その水平面に対する設置角度が調節されるとともに、各電線保持筒４〜９を前後方向にスライド変位させることにより、その前後位置が調節されるようになっている。また、各電線保持筒４〜９の設置角度等を調節した後に、上記ナット１６を締め付けることにより、上記各電線保持筒４〜９が支持フレーム１２の連結バー２０に固定されることになる。
【００２０】
上記支持フレーム１２には、ストック台ユニットＵの前後左右に立設された丸パイプ材からなる４本の支柱１７と、左右の支柱１７を互いに連結する連結バー１８と、前後の支柱１８を互いに連結する連結バー１９，２０とが設けられている。そして、上記支持フレーム１２の下部に配設された左右の連結バー１９間には、上記第１〜第３電線受け部１〜３が載置されて取り付けられる支持プレート２１が設けられている（図１および図２参照）。
【００２１】
さらに、上記支持フレーム１２の上部側面および中央部側面には、それぞれ上下一対の連結バー２０が所定間隔を置いて設けられ、これらの連結バー２０に上記各電線保持筒４〜９の取付ブラケット１４が固着されている。すなわち、上記支持機構１０の固定ボルト１５を挿通し得る隙間を両連結バー２０の間に形成し、この隙間に固定ボルト１５の軸部を挿通させるとともに、上記取付ブラケット１４に形成された取付孔に、固定ボルト１５の軸部を挿通させた状態で、その先端部にナット１６を螺着することにより、取付ブラケット１４が連結バー２０に固着されて、上記各電線保持筒４〜９が支持フレーム１２に固定されるようになっている（図３および図４参照）。
【００２２】
また、本実施形態では、相隣接するストック台ユニットＵに設けられた電線保持筒４〜９の取付ブラケット１４が、一本の固定ボルト１５により各ユニットＵの連結バー２０に同時に固着されるように構成されている。この結果、相隣接するストック台ユニットＵの連結バー２０が、上記取付ブラケット１４により左右から挟持されて、相隣接するストック台ユニットＵが互いに連結されることになる。
【００２３】
上記ハンガー部材１１ａ〜１１ｃは、図５に示すように、左右一対の縦棒２２と、その間に所定間隔で配設された複数の横棒２３とにより構成された梯子状体からなり、上記各電線保持筒４〜６の後方において上記支持フレーム１２に取り付けられている。そして、上記各電線保持筒４〜９から導出された電線Ｗの後部が、上記縦棒２２と横棒２３とにより区画された空間部２４内に導入されて横棒２３に掛けられることにより、ハンガー部材１１ａ〜１１ｃの後方側に垂下した状態で係止されるように構成されている。
【００２４】
上記のように構成された複数のストック台ユニットＵを連結することにより、電線ストック台を構成するとともに、ワイヤーハーネスや、そのサブアッセンブリの製造に使用される電線の長さ、太さおよび材質等に応じ、後述するように電線の収容に適した電線受け部１〜３を選定して電線を収容させた状態で、上記電線ストック台をハーネスの製造ラインに設置する。
【００２５】
例えば、図６に示すように、長尺の電線Ｗ１を第１電線受け部１に収容する場合には、この第１電線受け部１の後部上方に位置する第１電線保持筒４の上端開口部から上記電線Ｗ１の束を挿入する。上記第１電線保持筒４を挿通して、その下方に導出されるとともに、第１電線保持筒４の下方に位置する第２電線保持筒５内を挿通した電線Ｗ１の前部を、第１電線受け部１内に収容する。一方、上記第１電線保持筒４の上端部から導出した電線Ｗ１の後部は、第１電線保持筒４の後方側に位置するハンガー部材１１ａおよび第３電線保持筒６の後方側に位置するハンガー部材１１ｂに掛けられて係止される。
【００２６】
また、所定の長さを有する電線Ｗ２を第２電線受け部２に収容する場合には、例えば第３電線保持筒６の後方側に位置する第５電線保持筒８の上端開口部から上記電線Ｗ２の束を挿入する。この第５電線保持筒８を挿通した電線Ｗ２の前部を、第２電線受け部２の後部上方に位置する第４電線保持筒７内に挿入した後、上記第２電線受け部２内に収容する。上記第５電線保持筒８の上端部から導出した電線Ｗ２の後部は、この第５電線保持筒８の後方において垂下した状態で係止される。なお、上記電線Ｗ２を、第４電線保持筒７の上方に位置する第３電線保持筒６の上端開口部から第３，第４電線保持筒６，７の両方に挿入するとともに、上記電線Ｗ２の後部を、上記第３電線保持筒６の後方側に位置するハンガー部材１１ｂに掛けて係止させるようにしてもよい。
【００２７】
また、比較的に短尺の電線Ｗ３を第３電線受け部３に収容する場合には、この第３電線受け部３の後部上方に位置する第６電線保持筒９の上端開口部から上記電線Ｗ１の束を挿入する。そして、上記第６電線保持筒９を挿通して、その下方に導出された電線Ｗ３の前部を、第３電線受け部３内に収容するとともに、上記第６電線保持筒９の上端部から導出した電線Ｗ３の後部を、第６電線保持筒９の後方に配設されたハンガー部材１１ｃに掛けて係止させる。なお、さらに短尺の電線Ｗ４を上記第３電線受け部３に収容する場合には、この電線Ｗ４の前部を、直接上記第３電線受け部３内に直接挿入して収容させるとともに、上記電線Ｗ４の後部を、ストック台ユニットＵの最後部に配設された上記ハンガー部材１１ｃに掛けて係止させるようにしてもよい。
【００２８】
上記のように電線を引出可能に収容する電線受け部１〜３と、この電線受け部１〜３の上方に配設された電線保持筒４〜９と、これらの電線保持筒４〜９を支持する支持機構１０とを設けたため、電線の前部を上記電線受け部１〜３内にそれぞれ収容するとともに、各電線の後部を上記電線保持筒４〜９に保持させることにより、上記電線ストック台に電線を立体的にストックすることができる。したがって、上記電線ストック台の前後寸法を短くすることにより、その設置スペースをコンパクト化することができるとともに、上記電線ストック台に長尺の電線を適正状態でストックすることができる。
【００２９】
そして、上記電線保持筒４〜９の水平面に対する設置角度を調節可能な状態で各電線保持筒４〜９を支持する支持機構１０を設けたため、上記電線の長さ、線径および材質等に応じて上記各電線保持筒４〜９の設置角度を変化させることにより、上記断線ストック台に各電線を適正に収容し、かつこのストック台から電線を容易に引き出すことが可能なように、上記電線の保持状態を調節できるという利点がある。
【００３０】
例えば、長尺の電線Ｗ１を、上下の第１，第２電線保持筒４，５等の両方に挿通させた状態で、上記第１電線受け部１に電線の前部を収容させる場合には、この電線を挿通させるのに適するとともに、電線を保持するのに適した角度に、上記第１，第２電線保持筒４，５の設置角度を調節することができる。
【００３１】
また、線径が細いこと等に起因して、収容時に電線が曲がり易い特性を有する電線を、電線ストック台にストックする場合には、水平面に対する各電線保持筒４〜９の設置角度を小さな値に設定する等により、収容時に電線が大きく屈曲した状態となるのを防止することができるとともに、上記各電線保持筒４〜９に保持された電線を引き出す際に大きな引出抵抗が作用するのを防止することができる。
【００３２】
一方、電線の被覆材の摩擦係数が高いこと等に起因して、複数本の電線が絡まり合った状態で同時に引き出され易い特性を有する電線を、電線ストック台にストックする場合には、各電線保持筒４〜９の上段部と下段部との間において、その設置角度を異ならせる等により、電線の引出時に所定の抵抗を付与して複数本の電線が同時に引き出されるのを防止することができる。
【００３３】
また、上記実施形態に示すように、上下３段に配列された電線受け部１〜３のうち、上段側に位置する第１電線受け部１の後端を、その下段側に位置する第２電線受け部２の後端よりも前方側に配設するとともに、この第２電線受け部２の後端を、その下段側に位置する第３受け部３の後端よりも前方側に配設し、かつ上記各電線受け部１〜３の後部上方において、上記電線保持筒４〜９を前後にオフセットさせた状態で配列するように構成した場合には、電線ストック台に多数種の電線をストックする際に、各種の電線が交差するのを防止しつつ、各電線を立体的にストックできるという利点がある。
【００３４】
また、上記実施形態では、最上方に位置する第１電線受け部１の前端を、その下方に位置する第２電線受け部２の前端よりも後方側に配設するとともに、第２電線受け部２の前端を、その下方に位置する第３電線受け部３の前端よりも後方側に配設することにより、下方に位置する電線受け部２，３の前端部が、上方の電線受け部１，２によって覆われるのを防止するように構成したため、上記のように上下複数段の電線受け部１〜３内にそれぞれ電線を収容させるように構成したにも拘わらず、各電線受け部１〜３の前端部から電線を引き出す操作を容易に行うことができる。なお、上記電線受け部１〜３の段数は、３段に限られず、任意の値に変更可能である。
【００３５】
さらに、上記実施形態に示すように、各電線保持筒４〜９を上下２段に配列した場合には、電線の長さ等に応じて電線を挿通させる電線保持筒４〜９の個数を適宜変化させることできるため、簡単な構成で電線の保持態様を変化させて、そのストック状態を多様化できるという利点がある。なお、上記各電線受け部１〜３の上方にそれぞれ１段の電線保持筒を配設し、あるいは３段以上の電線保持筒を配設した構造としてもよい。
【００３６】
また、上記実施形態では、各電線保持筒４〜９の後方側に、この電線保持筒４〜９から導出された電線の後部を係止するハンガー部材１１ａ〜１１ｃを設けたため、電線ストック台に長尺の電線をストックする際に、この電線の後部を安定して支持することができるとともに、電線の引出時に適度の引出抵抗を付与して複数本の電線が同時に引き出されるのを防止できるという利点がある。特に、上記ハンガー部材１１ａ〜１１ｃを構成する縦棒２２と横棒２３とにより区画された空間部２４内に電線の後部を導入して、横棒２３に電線を掛けて係止させるように構成した場合には、電線保持筒４〜９から導出された電線同士が互いに絡まり合うのを効果的に防止することができるとともに、電線の引出時に過大な引出抵抗が付与されて電線が損傷するという事態の発生を防ぐことができる。
【００３７】
上記のように各電線受け部１〜３、電線保持筒４〜９および支持機構１０を支持フレーム１２に取り付けることによりストック台ユニットＵを形成するとともに、複数のストック台ユニットＵをその幅方向に連結することにより上記電線ストック台を構成するようにした場合には、この電線ストック台を構成する上記ユニットＵの個数を必要に応じて容易に増減できるという利点がある。
【００３８】
なお、上記実施形態では、各電線保持筒４〜９を角パイプ材により構成した例について説明したが、図７に示すように、丸パイプ材により上記電線保持筒４ａ〜９ａを構成してもよい。この場合には、上記電線保持筒４ａ〜９ａに保持された電線Ｗが保持筒の中央部に集中して絡まり合うのを防止するため、電線Ｗを支持する支持バー２５を上記各電線保持筒４ａ〜９ａ内に配設した構造とすることが望ましい。
【００３９】
【発明の効果】
以上説明したように、本発明は、電線を引出可能に収容する電線受け部と、この電線受け部の上方に配設された電線保持筒と、この電線保持筒を支持する支持機構とを備え、この支持機構により支持された電線保持筒の水平面に対する設置角度を変更可能に構成したため、電線ストック台の前後寸法を短くすることにより、その設置スペースをコンパクト化することができるとともに、上記電線ストック台に長尺の電線を適正状態でストックさせることができ、しかも電線ストック台に対する電線のストック作業およびストックされた電線の引出作業を容易に行うことができる等の利点がある。
【図面の簡単な説明】
【図１】本発明に係る電線ストック台の実施形態を示す側面図である。
【図２】本発明に係る電線ストック台の実施形態を示す分解斜視図である。
【図３】電線保持筒の支持状態を示す正面図である。
【図４】電線保持筒の支持状態を示す側面図である。
【図５】電線の後部をハンガー部材に係止した状態を示す斜視図である。
【図６】電線のストック状態を示す説明図である。
【図７】電線保持筒の別の具体例を示す説明図である。
【符号の説明】
１〜３　電線受け部
４〜９　電線保持筒
１０　支持機構
１１　ハンガー部材
【図１】
2004083166.tif 000003
【図２】
2004083166.tif 000004
【図３】
2004083166.tif 000005
【図４】
2004083166.tif 000006
【図５】
2004083166.tif 000007
【図６】
2004083166.tif 000008
【図７】
2004083166.tif 000009